(57)【要約】【課題】計測値の分析が容易になる表示グラフをディスプレイに表示させる。【解決手段】  第１計測機器で計測された、施設に設置されたエネルギー消費機器の動作に関連する、第１計測値のデータを記憶する記憶装置からデータを取得する、ディスプレイを備えた情報端末の制御方法は、第１計測機器で計測された、エネルギー消費機器の動作に関連する、複数日間の第１計測値の表示の要求を受け付けると、記憶装置から複数日間の第１計測値のデータを取得させ、複数日間の第１計測値の前記データに基づき、第１軸を日単位とし且つ第２軸を時間単位とした第１グラフに、第１計測値の大きさを、表示様式の違いで表した第１表示画面を前記ディスプレイに表示させる、方法である。【選択図】図４
2017126328.tif 000002
【特許請求の範囲】
【請求項１】
第１計測機器で計測された、施設に設置されたエネルギー消費機器の動作に関連する第１計測値のデータを記憶する記憶装置からデータを取得する、ディスプレイを備えた情報端末の制御方法であって、
第１計測機器で計測された、前記エネルギー消費機器の動作に関連する、複数日間の第１計測値の表示の要求を受け付けると、前記記憶装置から複数日間の前記第１計測値のデータを取得させ、
前記複数日間の前記第１計測値の前記データに基づき、第１軸を日単位とし且つ第２軸を時間単位とした第１グラフに、前記第１計測値の大きさを、表示様式の違いで表した第１表示画面を前記ディスプレイに表示させる、
情報端末の制御方法。
【請求項２】
前記複数日間のうちの所定日における、前記第１計測値と、第２計測機器で計測された第２計測値とを併せて表示する要求を受け付けると、前記記憶装置から前記所定日の前記第２計測値のデータを取得させ、
前記所定日の前記第１計測値の前記データ及び前記第２計測値の前記データに基づき、前記第１計測値及び前記第２計測値を、それぞれ、前記所定日の時間単位を第３軸とし且つ前記第１計測値の単位及び前記第２の計測値の単位を第４軸とした第２グラフに表した第２表示画面を前記ディスプレイに表示させる、
請求項１記載の情報端末の制御方法。
【請求項３】
前記所定日における前記第１計測値及び前記第２計測値の表示の要求は、前記第１グラフの領域内の前記所定日に対応する領域を前記情報端末の操作者が選択することによりなされる、
請求項２記載の情報端末の制御方法。
【請求項４】
前記複数日間における、前記第１計測値と、第２計測機器で計測された第２計測値とを併せて表示する要求を受け付けると、前記記憶装置から前記複数日間の前記第２計測値のデータを取得させ、
前記複数日間の前記第１計測値の前記データ及び前記第２計測値の前記データに基づき、前記第１グラフに前記第１計測値の大きさ及び前記第２計測値の大きさをそれぞれ表示様式の違いで表した第３表示画面を前記ディスプレイに表示させる、
請求項１に記載の情報端末の制御方法。
【請求項５】
前記情報端末の操作者により前記第２計測値が表示された前記第２グラフ内の領域が選択されると、前記記憶装置から前記複数日間の前記第２計測値のデータを取得させ、
前記複数日間の前記第１計測値の前記データ及び前記第２計測値の前記データに基づき、前記第１グラフに前記第１計測値の大きさ及び前記第２計測値の大きさをそれぞれ表示様式の違いで表した第３表示画面を前記ディスプレイに表示させる、
請求項２または請求項３に記載の情報端末の制御方法。
【請求項６】
前記所定日における、前記施設の所在地の気象情報を表示する要求を受け付けると、気象情報のデータを記憶する記憶装置から前記所定日における、前記施設の所在地の気象情報のデータを取得させ、
前記施設の所在地の気象情報の前記データに基づき、前記施設の所在地の気象情報を、前記所定日の時間単位を前記第３軸とし且つ前記気象情報の単位を前記第４軸とした前記第２グラフに表した前記第２表示画面を前記ディスプレイに表示させる、
請求項２、請求項３または請求項５に記載の情報端末の制御方法。
【請求項７】
前記複数日間のうちの所定日における、前記施設の所在地の気象情報を表示する要求を受け付けると、気象情報のデータを記憶する記憶装置から前記所定日における、前記施設の所在地の気象情報のデータを取得させ、
前記所定日の前記第１計測値の前記データ及び前記施設の所在地の気象情報の前記データに基づき、前記第１計測値及び前記施設の所在地の気象情報を、それぞれ、前記所定日の時間単位を第５軸とし且つ前記第１計測値の単位及び前記気象情報の単位を第６軸とした第４グラフに表した第４表示画面を前記ディスプレイに表示させる、
請求項１または請求項４に記載の情報端末の制御方法。
【請求項８】
前記複数日間のうちの所定日における、前記施設の所在地の気象情報を表示する要求は、前記第１表示画面に含まれる前記第１グラフの領域内のいずれかの領域を前記情報端末の操作者が選択することによりなされる、
請求項７に記載の情報端末の制御方法。
【請求項９】
前記複数日間は、１年間である、
請求項１から請求項８のいずれか１項に記載の情報端末の制御方法。
【請求項１０】
前記複数日間は、１月間である、
請求項１から請求項８のいずれか１項に記載の情報端末の制御方法。
【請求項１１】
前記第２計測値は複数あり、
前記第２グラフは複数あり、前記複数の第２計測値の各々に対応する、
請求項２、請求項３、請求項５、または請求項６のいずれか１項に記載の情報端末の制御方法。
【請求項１２】
前記第１計測機器が空調機器の電力計であり、前記第１計測値は前記空調機器の消費電力量又は前記空調機器の瞬時消費電力量である、
請求項１から請求項１１のいずれか１項に記載の情報端末の制御方法。
【請求項１３】
前記第１計測機器が空調機器の吐出センサであり、前記第１計測値は前記空調機器の吐出温度である、
請求項１から請求項１１のいずれか１項に記載の情報端末の制御方法。
【請求項１４】
前記第１計測機器が空調機器の風量センサであり、前記第１計測値は前記空調機器の風量である、
請求項１から請求項１１のいずれか１項に記載の情報端末の制御方法。
【請求項１５】
前記エネルギー消費機器が空調機器であるとき、前記第２計測値は、前記空調機器から出力される風の風速が所定の閾値以上である範囲の環境情報を含む、
請求項１２から請求項１４のいずれか１項に記載の情報端末の制御方法。
【請求項１６】
前記第２計測機器が照明機器の電力計であり、前記第２計測値は前記照明機器の消費電力量又は前記照明機器の瞬時消費電力量である、
請求項１２から請求項１４のいずれか１項に記載の情報端末の制御方法。
【請求項１７】
前記第２計測機器が照明機器の照度計であり、前記第２計測値は前記照明機器の明るさを示す情報である、
請求項１２から請求項１４のいずれか１項に記載の情報端末の制御方法。
【請求項１８】
前記エネルギー消費機器が照明機器であるとき、前記第２計測値は、前記照明機器の出力量が所定の閾値以上及ぶ範囲の環境情報を含む、
請求項１２から請求項１４のいずれか１項に記載の情報端末の制御方法。
【請求項１９】
前記第２計測機器がドアの開閉センサであるとき、前記第２計測値は、前記ドアの開閉回数を示す情報である、
請求項１２から請求項１４のいずれか１項に記載の情報端末の制御方法。
【請求項２０】
前記第２計測値は前記第１計測値に相関するものであり、
前記第１計測値と前記第２計測値との相関係数は、−１から−０．５又は０．５から１の範囲内にある、
請求項２、請求項３、請求項５、または請求項６に記載の情報端末の制御方法。
【請求項２１】
前記第２計測機器は、２４時間動作する設定がなされている特定機器を除く、
請求項２、請求項３、請求項５、または請求項６のいずれか１項に記載の情報端末の制御方法。
【請求項２２】
前記特定機器は、冷凍機を含む、
請求項２１記載の情報端末の制御方法。
【請求項２３】
第１計測機器で計測された、施設に設置されたエネルギー消費機器の動作に関連する第１計測値のデータを記憶する記憶装置からデータを取得する、ディスプレイを備えた情報端末において実行されるプログラムであって、
前記情報端末に、
第１計測機器で計測された、前記エネルギー消費機器の動作に関連する、複数日間の第１計測値の表示の要求を受け付けると、前記記憶装置から複数日間の前記第１計測値のデータを取得させ、
前記複数日間の前記第１計測値の前記データに基づき、第１軸を日単位とし且つ第２軸を時間単位とした第１グラフに、前記第１計測値の大きさを、表示様式の違いで表した第１表示画面を前記ディスプレイ表示させる、
プログラム。
【請求項２４】
第１計測機器で計測された、施設に設置されたエネルギー消費機器の動作に関連する第１計測値のデータを記憶する記憶装置からデータを取得する、ディスプレイを備えた情報端末であって、
第１計測機器で計測された、前記エネルギー消費機器の動作に関連する、複数日間の第１計測値の表示の要求を受け付けると、前記記憶装置から複数日間の前記第１計測値のデータを取得する取得部と、
前記複数日間の前記第１計測値の前記データに基づき、第１軸を日単位とし且つ第２軸を時間単位とした第１グラフに、前記第１計測値の大きさを、表示様式の違いで表した第１表示画面を前記ディスプレイに表示させる表示制御部と、
を備える情報端末。
【発明の詳細な説明】
【技術分野】
【０００１】
本開示は、情報端末の表示制御に関する。
【背景技術】
【０００２】
特許文献１は、エネルギー消費量を長期単位で時系列的に表示する長期表示部を表示する。長期表示部の任意の表示位置としての日付ボタンをクリックすると、その指定された日付のエネルギー消費量の詳細を、短期単位で時系列的に表示する短期表示部として、長期表示部と同一の表示画面に表示する。
【先行技術文献】
【特許文献】
【０００３】
【特許文献１】特開２０１１−１８０８０７号公報
【発明の概要】
【発明が解決しようとする課題】
【０００４】
しかしながら、特許文献１の表示では、エネルギー消費量等の計測値の分析が容易でないことがあると考えられる。
本開示は、上記課題に鑑みてなされたものであって、計測値の分析が容易になる表示グラフをディスプレイに表示させる情報端末の制御方法を提供することを目的とする。
【課題を解決するための手段】
【０００５】
本開示に係る一態様の情報端末の制御方法は、第１計測機器で計測された、施設に設置されたエネルギー消費機器の動作に関連する第１計測値のデータを記憶する記憶装置からデータを取得する、ディスプレイを備えた情報端末の制御方法であって、第１計測機器で計測された、前記エネルギー消費機器の動作に関連する、複数日間の第１計測値の表示の要求を受け付けると、前記記憶装置から複数日間の前記第１計測値のデータを取得させ、前記複数日間の前記第１計測値の前記データに基づき、第１軸を日単位とし且つ第２軸を時間単位とした第１グラフに、前記第１計測値の大きさを、表示様式の違いで表した第１表示画面を前記ディスプレイに表示させる。
【発明の効果】
【０００６】
上記の一態様の情報端末の制御方法によれば、計測値の分析が容易になるグラフをディスプレイに表示させることができる。
【図面の簡単な説明】
【０００７】
【図１】一実施の形態に係るエネルギーマネジメントを行う施設の構成図。
【図２】一実施の形態に係るエネルギーマネジメントシステムのシステム構成図。
【図３】図２のエネルギーマネジメントシステムによる処理動作のシーケンス図。
【図４】図２の情報端末の表示部に表示される第１表示画面の一例。
【図５】図２の情報端末の表示部に表示される第２表示画面の一例。
【図６】図２の情報端末の表示部に表示される第３表示画面の一例。
【図７】図２の情報端末の処理動作を示すフローチャート。
【図８】図２の情報端末のディスプレイに表示される表示画面の遷移図。
【図９】第１表示画面の第１グラフの一変形例。
【図１０】第１表示画面の第１グラフの他の変形例。
【図１１】第１表示画面の第１グラフのさらに他の変形例。
【図１２】考察に用いた計測値の時間毎の変化量を示すグラフ例。
【図１３】考察に用いた計測値の月毎の変化量及び内訳を示すグラフ例。
【発明を実施するための形態】
【０００８】
≪本開示に係る情報端末の表示内容に至った経緯≫
特許文献１では、特許文献１の図３から明らかなように、長期表示部は縦軸を太陽光発電装置による発電量とし、横軸を２週間分の日を日単位で表したグラフである。短期表示部は縦軸を太陽光発電装置による発電量とし、横軸を指定された日を時間単位で表したグラフである。
【０００９】
店舗等のエネルギーマネジメントシステムにおいても、同様のグラフを用いて機器の稼働状況と電力消費量を管理、または、把握することが考えられる。
管理設備および表示設備において、制御対象となる機器の連係動作から推定される節電手法を利用者に対して提示する上で、それぞれの時系列データの特徴点、複数の機器およびセンサ間の相関点などを発見し、エネルギー使用量の傾向を分析するというのがエネルギーマネジメントシステムの有効な活用方法の一つとなっている。
【００１０】
しかしながら、特許文献１において示されたグラフでは、例えば、店舗等に設置された空調機器、照明機器、冷設機器等の機器について消費電力量の傾向を、一年を通じて確認したい場合に、以下のような問題が生じる。
エネルギーマネジメントシステムを用いた分析においては、装置内のセンサ毎の時系列データを１年以上などの長期にわたり比較し、特徴点を分析する必要がある。このため、対象機器および期間の増大とともに分析に必要とする時間が膨大になる、個別の時系列データをみただけで全体の傾向をつかめない、全体の集計で判定するのでは特徴点を見逃す、といったことが発生する恐れがある。また、限られたリソース（分析の処理時間、データ量、分析のための人員、操作者に提示し実行できる提案内容の量など）のなかで、分析から改善の施策実行に至るまでに、効率的に機能できないと、せっかくの省エネルギー提案に見落としが発生したり、有効に活用されなかったりするということが発生してしまう。
【００１１】
個別の時系列データをみただけで全体の傾向をつかめない例として、図１２のような、特定のセンサの時間毎の変化量のグラフがある。時間毎の変化を理解するのには適しているが、膨大な日数分、多岐にわたるセンサとの関係性等を、把握するのに限度がある。この場合、特定の設備の、１日の使用電力量とそのときの温度を把握することができるのみである。
【００１２】
このとき、例えば、店舗に設置された、例えば、空調機器、照明機器、冷設機器等の消費電力量等を確認する場合、特許文献１で示したグラフを援用して第１軸を１日分とし且つ第２軸を消費電力量等としたグラフを生成することが考えられる。
しかしながら、１日分のデータでは、例えば１年間の傾向を全体として俯瞰できない。一方、例えば１年間全体を俯瞰するためには、同グラフを３６５個生成する必要がある。この場合、確認するデータ量が膨大となるだけではなく、３６５個のグラフを個別に確認しても、例えば１年間の傾向を全体として俯瞰することにはならない。このため、全体の傾向を見落とす恐れがある。
【００１３】
また、全体の集計で判断するのでは特徴点を見逃す例として、図１３のような、電力分電盤の月別使用量のグラフがある。月ごとの全体の電力使用と、個別の分電盤の内訳などから、季節性のエネルギー増減は把握できるものの、日々の変化、特定の機器が異常動作していないかどうか等を把握することはできない。
また、例えば、集計を１日単位としても、そのグラフは、一日の消費電力量の総量を示すので、一日の中のどの時間帯にどのような傾向があるのかを把握できない。例えば、夜中に電源を落とし忘れて、必要もない電力を消費したのか、また、昼間の時間帯に通常以上の電力を消費したのか、等は確認できない。この場合、対策を打つべきである原因を見落とす恐れもある。
【００１４】
また、例えば、店舗に設置された空調機器、照明機器、冷設機器等の消費電力量等は、関連する他の機器の消費電力量等を参照することで、正常であるか又は異常であるかを判断できる場合もある。この場合、上記に加えて更に、他の機器の計測値も確認する必要がある。その結果、確認すべき計測値が倍増し、分析を細かくできるようになる反面、さらに全体の傾向を見失う恐れがある。
【００１５】
以上の考察により、携帯端末の表示内容及びそれに関連する内容の新たな態様に想到するに至った。
以下、新たに想到するに至った携帯端末の表示内容及びそれに関連する内容に係る一実施の形態について説明する。
≪実施の形態１≫
以下、本開示に係る一実施の形態について、図面を参照しつつ説明する。
【００１６】
（エネルギーマネジメントを行う施設の構成）
図１は、一実施の形態に係るエネルギーマネジメントを行う施設の構成を示す図である。なお、施設の構成は特に限定されるものではない。
施設には、空調機器１、照明機器２、食品を扱う店舗等の場合では冷設機器３等の機器が備えられ、更に、不図示のセンサが備えられている。なお、空調機器１、照明機器２、冷設機器３等の機器は、エネルギー消費機器である。
【００１７】
空調機器１は、施設内の温度、湿度、または、換気量を調整する。
照明機器２は、施設内外の明るさを調整する。
冷設機器３は、内部に保管される商品（食品等）を冷却する。
不図示のセンサは、電力計、電圧計、電流計、温度センサ、湿度センサ、赤外線センサ、人感センサ、照度計、圧力計、流量計、二酸化炭素センサ、パルスカウンタなどのセンサである。それらは、施設に備えられる機器それぞれの消費電力、運転状態、送風の温度、照度、冷媒圧力、ケース内温度、使用環境等を測定し、電力、機器内外の温度と湿度、照度などの運転情報を機器毎に測定する。また、施設内の二酸化炭素濃度、自動ドアの開閉、冷設機器の運転状態、または、売場内の人の人数或いは滞在箇所等を検知してもよい。
【００１８】
また、センサは、外部のサーバ、又は、施設内の機器を管理する統合コントローラと通信し、計測値を示すデータ又は検知情報等を送信する。
なお、センサは、施設に備えられる空調機器１、照明機器２、冷設機器３等の機器内に設けられてもよく、機器とは別に施設内外に設けられてもよい。
食品等を含む商品を扱う店舗を例にとると、図１のように、売場の周囲の一部に冷設機器３が配され、天井に空調機器１の送風口等と、照明機器２が配されている。そして、空調機器１と照明機器２は、冷設機器３が配されたエリアと売場中央の商品ゴンドラのエリアなどを含む売場全体の、換気、冷暖房、照明などの環境を調整している。
【００１９】
（エネルギーマネジメントシステムのシステム構成）
図２は、一実施の形態に係るエネルギーマネジメントのシステム構成を示す図である。なお、エネルギーマネジメントシステムのシステム構成は特に限定されるものではない。
エネルギーマネジメントシステム１０は、施設に備えられる機器、センサ、統合コントローラ３０、サーバ４０、及び情報端末５０を含む。
【００２０】
施設に備えられる機器として、図２では、空調機器１１、照明機器１２、冷設機器１３が示されており、図１の空調機器１、照明機器２、冷設機器３が対応する。
また、センサとして、図２では、電力計２０、機器（空調機器１１、照明機器１２、冷設機器１３等）とは別に施設内外に設けられた１以上のセンサ２５、空調機器１１内に設けられた１以上のセンサ１１ａ、照明機器１２内に設けられた１以上のセンサ１２ａ、冷設機器１３内に設けられた１以上のセンサ１３ａが示されている。なお、電力計２０は、機器毎の消費電力量と瞬時消費電力量を計測することができる。
【００２１】
このように、センサは、施設内に備えられる機器内に設けられていてもよく、機器とは別に施設内外に設けられていてもよい。
施設に設けられた機器（空調機器１１、照明機器１２、冷設機器１３等）は、機器内に設けられているセンサ（センサ１１ａ、１２ａ、１３ａ等）による計測値を示すデータ又は検知情報等を統合コントローラ３０へ送信する。また、機器とは別に施設内外に設けられたセンサ（電力計２０、センサ２５等）は、計測値を示すデータ又は検知情報等を統合コントローラ３０へ送信する。なお、機器内に設けられているセンサは、直接、計測値を示すデータ又は検知情報等を統合コントローラ３０へ送信するようにしてもよい。
【００２２】
統合コントローラ３０は、施設に設けられた機器（空調機器１１、照明機器１２、冷設機器１３等）、機器内に設けられたセンサ（センサ１１ａ、１２ａ、１３ａ等）、機器とは別に施設内外に設けられたセンサ（電力計２０、センサ２５等）等を制御する。また、統合コントローラ３０は、施設に設けられた機器から機器内に設けられているセンサによる計測値を示すデータ又は検知情報等を受信し、また、施設に設けられた機器とは別に施設内外に設けられたセンサからそのセンサによる計測値を示すデータ又は検知情報等を受信する。そして、統合コントローラ３０は、受信した計測値を示すデータ又は検知情報等を、計測又は検知を行ったセンサを示す情報とともに、サーバ４０へ送信する。
【００２３】
また、統合コントローラ３０は、例えば、気象庁が運営する外部サーバから例えば施設の所在地の気象情報（例えば、時間毎の気温、湿度、日照時間、降水量）等の周囲環境の情報を収集する目的で、また、複数の施設を統括して管理する管理センタ等に接続する目的で、インターネット等の外部ネットワークに接続するインタフェースを持つようにしてもよい。そして、統合コントローラ３０は、収集した例えば施設の所在地の気象情報等の周囲環境の情報をサーバ４０へ送信する。
【００２４】
サーバ４０は、ハードディスク等の記憶媒体で構成された情報の入出力装置である。サーバ４０は、統合コントローラ３０から受信したセンサによる計測値を示すデータ又は検知情報等を蓄積するとともに、取得した気象情報（例えば、時間毎の気温、湿度、日照時間、降水量）等の周囲環境の情報を蓄積する。但し、サーバ４０には、施設に設けられた機器（空調機器１１、照明機器１２、冷設機器１３等）内に設けられたセンサ（センサ１１ａ、１２ａ、１３ａ等）による計測値を示すデータ、施設に設けられた機器とは別に施設内外に設けられたセンサ（電力計２０、センサ２５等）による計測値を示すデータが、例えば数十年分、機器を示す情報とセンサを示す情報等に関連付けて蓄積されている。なお、サーバ４０に蓄積される年数は特に限定されるものではない。
【００２５】
なお、操作者が、サーバ４０に蓄積されているセンサによる計測値を利用して、過去の履歴、現在の使用状況を用いた分析と、分析に基づく改善提案等を行うために、サーバ４０から情報端末５０に蓄積されているデータが送信される。
情報端末５０は、パソコン、マイコンで構成される端末であって、表示部及び入力部を備え、サーバ４０から受信したデータに基づく情報を表示部に表示する。なお、情報端末５０の表示部と入力部は、液晶パネル又は有機ＥＬパネルなどの表示装置と、タッチパッド等の位置入力装置とを組み合わせた、表示部のディスプレイ上を選択し操作可能なタッチパネルによって構成されている。
【００２６】
なお、情報端末５０として、タッチパッドを備えた情報端末の他、マウス、キーボードなどの入力装置と表示装置を備えたノートパソコン、デスクトップパソコンなどの情報端末を用いてもよい。
［情報端末の構成］
以下、情報端末５０の構成について説明する。
【００２７】
情報端末５０は、図２に示すように、演算処理部５１、メモリ５２、表示部５３、入力部５４、及び通信部５５を備える。
演算処理部５１は、例えばＣＰＵ（Ｃｅｎｔｒａｌ  Ｐｒｏｃｅｓｓｉｎｇ  Ｕｎｉｔ）等により構成され、各種演算と各種制御などを行う。
メモリ５２は、各種プログラムと各種データを保持する。但し、メモリには図７に示すフローチャートの処理手順を記述したプログラムが記憶されている。そして、演算処理部５１は、このプログラムをメモリ５２から読み出して実行する。本開示の表示制御部は、演算処理部５１とメモリ５２とを備える。
【００２８】
表示部５３および入力部５４は、液晶パネル又は有機ＥＬパネルなどのディスプレイを備えた表示装置と、タッチパッド等の位置入力装置とを組み合わせた、ディスプレイ上を選択し操作可能なタッチパネルによって構成されている。
通信部５５は、情報端末５０が統合コントローラ３０、サーバ４０、外部サーバなどと通信を行うための通信部である。通信部５５は、本開示の取得部の一例である。
【００２９】
〈エネルギーマネジメントシステムによる処理動作のシーケンス〉
図３は、図２のエネルギーマネジメントシステムによる処理動作の一例を示すシーケンス図である。
施設に設けられた機器８０（空調機器１１、照明機器１２、冷設機器１３等）内に設けられたセンサ８０ａ（センサ１１ａ，１１ｂ，１１ｃ等）は例えば短い周期（例えば、１分間隔）で計測又は検知等を繰り返し行う。そして、計測値を示すデータ又は検知情報等が、機器を示す情報とセンサを示す情報等とともに、機器８０から統合コントローラ３０へ送信され（ステップＳ１）、さらに、統合コントローラ３０からサーバ４０に送信される（ステップＳ２）。そして、サーバ４０は、受信した計測値を示すデータ又は検知情報等を受信した機器を示す情報とセンサを示す情報等に関連付けて蓄積する（ステップＳ３）。なお、センサ間で計測周期が異なることもある。また、計測値を示すデータ又は検知情報等が、機器８０からサーバ４０に直接送信されるようにしてもよく、センサ８０ａから統合コントローラ３０又はサーバ４０に直接送信されるようにしてもよい。
【００３０】
施設に設けられた機器８０とは別に施設内外に設けられたセンサ８５（電力計２０、センサ２５等）は例えば短い周期（例えば、１分間隔）で計測又は検知等を繰り返し行う。そして、計測値を示すデータ又は検知情報等が、センサを示す情報等とともに、センサ８５から統合コントローラ３０へ送信され（ステップＳ４）、さらに、統合コントローラ３０からサーバ４０に送信される（ステップＳ５）。そして、サーバ４０は、受信した計測値を示すデータ又は検知情報等を受信したセンサを示す情報等に関連付けて蓄積する（ステップＳ６）。なお、センサ間で計測周期が異なることもある。また、計測値を示すデータ又は検知情報等が、センサ８５からサーバ４０に直接送信されるようにしてもよい。
【００３１】
情報端末５０はサーバ４０に対してデータ等の送信要求を行い（ステップＳ７）、サーバ４０は、この送信要求に対する応答として、送信要求されたデータ等を情報端末５０に送信する（ステップＳ８）。なお、情報端末５０とサーバ４０とが直接通信をする代わりに、統合コントローラ３０を介して通信を行うようにしてもよい。
なお、送信データは、必要に応じて、電気信号の信号レベル又は通信方式を変換する信号変換器又は中継器、中継器間の通信プロトコル又はデータフォーマットが異なる場合の変換器、制御装置等で構成されたネットワークを通して送受信される。なお、図３の簡略化のためこれらは省略している。
【００３２】
また、ネットワークを構成する機器間の通信においては、データの受け渡しに付随して、より下位レベル（より原理的な通信機器としてのプロトコル）の通信確立、端末確認、要求、応答等の通信メッセージが発生することが通例であるが、一般的な通信プロトコルの範疇である。このため、それらは一実施の形態においては特に限定されるものではない。
【００３３】
なお、エネルギーマネジメントシステム１０においては、施設に設けられた機器又はセンサの制御も重要な機能の一つであり、情報端末５０から、施設に設けられた機器又はセンサに対して、制御命令が送信されたり、応答を受け取ったりすることもできる。
（情報端末の表示画面）
一実施の形態では、情報端末５０の表示部５３のディスプレイには、主に、３つの表示画面（第１表示画面、第２表示画面、第３表示画面）が表示される。
【００３４】
なお、上述したように、一実施の形態では、センサとして、機器内に設けられたものと、機器とは別に施設内外に設けられたセンサがある。以下では、機器内に設けられたセンサを、適宜、「機器内センサ」と記載し、機器とは別に施設内外に設けられたセンサを「機器外センサ」と記載する。
また、機器外センサは、これを備える機器は実在しないが、これを備える対象を「機器外」とし、「機器外」を機器の一つとみなして、記載の簡略化を図る。例えば、空調機器１１とは別の機器には、照明機器１２、冷設機器１３等の実際に存在する機器の他に、「機器外」があるものとみなして記載する。
【００３５】
［第１表示画面］
図４は、一実施の形態に係る情報端末５０の表示部５３のディスプレイに表示される第１表示画面の一例を示す図である。
第１表示画面１００では、第１軸を日単位とし且つ第２軸を時間単位とした第１グラフ１１０に、センサ（電力計２０、センサ２５，１１ａ，１２ａ，１３ａ等）によって計測された、エネルギー消費機器の動作に関連する、１年間の計測値が、その大きさを同一色の濃淡の違いで表されている。例えば、計測値が大きい場合に濃く、小さい場合に薄く表すようにしてもよい。または、計測値が大きい場合に薄く、小さい場合に濃くなるように表してもよい。
【００３６】
なお、第１軸を日単位とし且つ第２軸を時間単位としたグラフを、適宜、「第１グラフ」と記載する。
図４の第１表示画面１００の例では、第１グラフ１１０に計測値がその大きさを同一色の濃淡の違いで表されるようしているが、例えば、計測値の大きさを表示色の違いで表すようにしてもよい。
【００３７】
また、第１表示画面１００の例では、第１グラフ１１０に、１年間の計測値を表示するようにしているが、１月間の計測値を表示するようにしてもよいし、３月間の計測値を表示するようにするなど、複数日間の計測値を表示するようにすればよい。
この第１グラフ１１０では、例えば図４に示すように、３０分単位の使用電力をその大小に応じて濃淡の変化で表したブロックを第２軸方向に並べ、この使用電力を日ごとに集計したものを第１軸方向に整列させる。
【００３８】
なお、第１表示画面１００の第１グラフ１１０に表示される計測値を「第１計測値」、その計測値を計測したセンサを「第１センサ」、そのセンサが設けられている機器を「第１対象機器」と呼ぶことにする。なお、上述したように、機器外センサの場合、その機器外センサが設けられている機器自体は存在しないことになるが、記載の簡略化のため、「第１対象機器」は「機器外」とみなして取り扱う。
【００３９】
第１グラフ１１０の領域内の何れかの領域を操作者が選択した場合、その選択により、情報端末５０の表示部５３のディスプレイの表示内容は、第１表示画面から図５に一例を示す第２表示画面に切り替わる。なお、第２表示画面については図５を利用して後述する。
第１表示画面１００には、第１グラフ１１０の第１計測値を計測した第１センサとその第１センサが設けられている第１対象機器（第１センサが機器外センサである場合には、その計測場所等）の情報を表示する領域１２０がある。
【００４０】
また、第１表示画面１００には、“第１対象機器変更”ボタン１３０、“第１センサ変更”ボタン１４０、“表示期間変更”ボタン１５０ａ，１５０ｂが含まれている。
“第１対象機器変更”ボタン１３０は、第１グラフ１１０の第１計測値を、別の機器のセンサの計測値に変更する場合に操作者によって選択される領域である。例えば、選択時点の第１グラフ１１０の第１計測値を計測した第１センサが空調機器１１内の機器内センサである場合、空調機器１１以外の機器内の機器内センサ又は「機器外」の機器外センサによる計測値が第１計測値として第１グラフ１１０に表示される。また、選択時点の第１グラフ１１０の第１計測値を計測した第１センサが機器外センサである場合、機器内の機器内センサによる計測値が第１計測値として第１グラフ１１０に表示される。
【００４１】
“第１センサ変更”ボタン１４０は、第１グラフ１１０の第１計測値を、同じ機器内の別のセンサの計測値に変更する場合に操作者によって選択される領域である。例えば、選択時点の第１グラフ１１０の第１計測値を計測した第１センサが空調機器１１内の機器内センサである場合、空調機器１１内の別の機器内センサによる計測値が第１計測値として第１グラフ１１０に表示される。また、選択時点の第１グラフ１１０の第１計測値を計測した第１センサが機器外センサである場合、「機器外」の別の機器外センサによる計測値が第１計測値として第１グラフ１１０に表示される。
【００４２】
“表示期間変更”ボタン１５０ａは、第１グラフ１１０の第１計測値の表示期間を前の年にする場合に操作者によって選択される領域である。また、“表示期間変更”ボタン１５０ｂは、第１グラフ１１０の第１計測値の表示期間を次の年にする場合に操作者によって選択される領域である。
ここで、第１表示画面の第１グラフの利点について記載する。
【００４３】
第１表示画面の第１グラフ１１０は、第１軸と第２軸とを共に時間軸とした二次元のグラフを用いて、３番目の要素としての計測値（例えば、消費電力量）をその大きさを濃淡の変化で表示している。このため、二次元グラフを用いつつも、３つの要素（日、時間、計測値）を１つの表示画面に表すことができる。その結果、操作者は少ない操作で計測値の全体の傾向を把握することができる。
【００４４】
また、例えば１年間全体を俯瞰する場合でも、第１軸を一年分の項目とする第１グラフ１１０を１つ生成すれば、１年間の傾向を全体として俯瞰でき、全体の傾向を簡易に把握できる。
また、第１グラフ１１０は、単に一日の計測値（例えば、消費電力量）の総量を示すものではない。むしろ、第１グラフ１１０は、計測値（例えば、消費電力量）をその日の時間単位で表す。そのため、例えば、夜中に電源を落とし忘れて、必要もない電力を消費したのか、また、昼間の時間帯に通常以上の電力を消費したのか、等も、第１グラフ１１０一つで確認できる。この場合、例えば、消費電力量等に問題がある場合にその原因を見落とすことを防止できる。即ち、ある一日の中の時間帯毎に計測値（例えば、消費電力量）を把握できると共に、同一の第１グラフ１１０で例えば一年全体をも俯瞰できる。
【００４５】
このように、対象期間に対して俯瞰的に変化を見ることができると、特徴的な期間（特徴のある変化が見られる日時等）を発見しやすくなる。これにより、その期間に着目して、第１グラフ１１０に表されている第１計測値、別のセンサ（例えば、同一機器の別のセンサ、別の機器のセンサ）の計測値を、より詳細の時間間隔での変化を参照するという動機が発生（気づきを喚起）することができる。
【００４６】
［第２表示画面］
図５は、一実施の形態に係る情報端末５０の表示部５３のディスプレイに表示される第２表示画面の一例を示す図である。
第２表示画面２００では、第１軸を時間軸とし且つ第２軸を計測値の単位とした第２グラフ２１０，２２０ａ，２２０ｂ，２２０ｃに、センサ（電力計２０、センサ２５，１１ａ，１２ａ，１３ａ等）によって計測された、１日間の計測値が、表されている。
【００４７】
なお、第１軸を時間単位とし且つ第２軸を計測値の単位としたグラフを、適宜、「第２グラフ」と記載する。なお、第２グラフとして、例えば折れ線グラフ、棒グラフ等の一般的なグラフを利用することができる。なお、第２グラフに表示される第２計測値の日数は１日である必要はなく、例えば２、３日等、第１グラフの表示日数より短い日数であればよい。
【００４８】
第１表示画面１００から第２表示画面２００に遷移した場合、第２グラフ２１０には、第１グラフ１１０の第１計測値を計測した第１センサの、操作者によって指定された年月日の、１日間の計測値が表示される。また、第２グラフ２２０ａ，２２０ｂ，２２０ｃには、第１グラフ１１０の第１計測値を計測した第１センサとは別のセンサの、操作者によって指定された年月日の、１日間の計測値が表される。但し、操作者によって指定された年月日は、第１表示画面の第１グラフ１１０の領域内で操作者が選択操作した領域に対応する年月日である。
【００４９】
なお、第２表示画面２００の第２グラフ２１０に表示される計測値を「第１計測値」、その計測値を計測したセンサを「第１センサ」、そのセンサが設けられている機器を「第１対象機器」と呼ぶことにする。また、第２グラフ２２０ａ，２２０ｂ，２２０ｃに表示されている計測値を「第２計測値」、その計測値を計測したセンサを「第２センサ」、そのセンサが設けられている機器を「第２対象機器」と呼ぶことにする。なお、上述したように、センサが、機器外センサの場合、その機器外センサが設けられている機器自体が存在しないことになるが、記載の簡略化のため、「第１対象機器」、「第２対象機器」は「機器外」とみなして取り扱う。
【００５０】
例えば、遷移時点の第１グラフ１１０の第１計測値を計測した第１センサが空調機器１１内の機器内センサである場合、第２グラフ２２０ａ，２２０ｂ，２２０ｃの第２計測値は、次のセンサの計測値となる。空調機器１１内の別の機器内センサ、空調機器１１以外の機器内の機器内センサ、又は、「機器外」の機器外センサによる計測値となる。
また、遷移時点の第１グラフ１１０の第１計測値を計測したセンサが機器外センサである場合、第２グラフ２２０ａ，２２０ｂ，２２０ｃの第２計測値は、次のセンサの計測値となる。機器内の機器内センサ、「機器外」の別の機器外センサによる計測値となる。
【００５１】
なお、図５の第２表示画面２００の例では、第２計測値を表示する第２グラフの数が、第２グラフ２２０ａ，２２０ｂ，２２０ｃの３であるが、１、２、又は４以上であってもよい。
第２グラフ２２０ａ，２２０ｂ，２２０ｃの何れかの領域を操作者が選択した場合、その選択により、情報端末５０の表示部５３のディスプレイの表示内容は、第２表示画面から図６に一例を示す第３表示画面に切り替わる。なお、第３表示画面については図６を利用して後述する。
【００５２】
第２表示画面２００には、第２グラフ２１０の第１計測値を計測した第１センサとその第１センサが設けられている第１対象機器（第１センサが機器外センサである場合には、その計測場所等）の情報を表示する領域２３０がある。また、第２グラフ２２０ａ，２２０ｂ，２２０ｃの第２計測値を計測した第２センサとその第２センサが設けられている第２対象機器（第２センサが機器外センサである場合には、その計測場所等）の情報を表示する領域２４０がある。
【００５３】
また、第２表示画面２００には、“第２対象機器変更”ボタン２５０、“第２センサ変更”ボタン２６０、“気象庁”ボタン２７０、“表示期間変更”ボタン２８０ａ，２８０ｂが含まれている。
“第２対象機器変更”ボタン２５０は、第２グラフ２２０ａ，２２０ｂ，２２０ｃの第２計測値を、別の機器のセンサの計測値に変更する場合に操作者によって選択される領域である。例えば、選択時点の第２グラフ２２０ａの第２計測値を計測した第２センサが空調機器１１内の機器内センサである場合、空調機器１１以外の機器内の機器内センサ又は「機器外」の機器外センサによる計測値が第２計測値として第２グラフ２２０ａに表示される。また、選択時点の第２グラフ２２０ａの第２計測値を計測した第２センサが機器外センサである場合、機器内の機器内センサによる計測値が第２計測値として第２グラフ２２０ａに新たに表示される。
【００５４】
“第２センサ変更”ボタン２６０は、第２グラフ２２０ａ，２２０ｂ，２２０ｃの第２計測値を、同じ機器内の別のセンサの計測値に変更する場合に操作者によって選択される領域である。例えば、選択時点の第２グラフ２２０ａの第２計測値を計測した第２センサが空調機器１１内の機器内センサである場合、空調機器１１内の別の機器内センサによる計測値が第２計測値として第２グラフ２２０ａに表示される。また、選択時点の第２グラフ２２０ａの第２計測値を計測した第２センサが機器外センサである場合、「機器外」の別の機器外センサによる計測値が第２計測値として第２グラフ２２０ａに表示される。
【００５５】
“気象庁”ボタン２７０は、第２グラフ２２０ａ，２２０ｂ，２２０ｃの一部又は全ての第２計測値を気象情報に変更する場合に操作者によって選択される領域である。但し、気象情報は、第１軸を時間軸とし且つ気象情報の単位を第２軸とした第２グラフにより表される。
“表示期間変更”ボタン２８０ａは、第２グラフ２１０の第１計測値、第２グラフ２２０ａ，２２０ｂ，２２０ｃの第２計測値の表示期間を前の日にする場合に操作者によって選択される領域である。また、“表示期間変更”ボタン２８０ｂは、第２グラフ２１０の第１計測値、第２グラフ２２０ａ，２２０ｂ，２２０ｃの第２計測値の表示期間を次の日にする場合に操作者によって選択される領域である。
【００５６】
さらに、第２表示画面２００には、“前の画面”ボタン２９０が含まれている。“前の画面”ボタン２９０は、第２表示画面２００から第１表示画面１００に戻る場合に操作者によって選択される領域である。
ここで、第２表示画面２００の第２グラフの利点について記載する。
異なる機器の同時期の状態を参照して、対象機器の比較評価を行うことができる。この場合は、一年分ではなく、その日に対応する評価結果（例えば、消費電力量）を提示すればよいので、第２グラフを簡素化できる。その結果、確認すべきデータ量の増加を必要最小限に抑え、ミクロ的な分析をサポートできる。
【００５７】
また、この第２表示画面２００においては、上述のように特定の期間に限定した計測値の表示が可能である。このため、第２グラフは簡素であり、第１センサの第１計測値と第２センサの第２計測値とを並行してより詳細の時間間隔での変化を表示することが可能となる。
その結果、例えば、ある日の夜中にエアコンが動作している場合、エアコンの出力が及ぶ範囲内に配置された照明機器の電源がその日の夜中にオフ状態であれば、エアコンの電源を落とし忘れて、必要もない電力を消費したと判断できる。
【００５８】
一方、例えば、ある日の夜中にエアコンが動作している場合、エアコンの出力が及ぶ範囲内に配置された照明機器の電源がその日の夜中にオン状態であれば、その日は棚卸し作業のため深夜も作業があったなどと判断できる。
同様に、ある日の昼間の時間帯にエアコンが他の日と比較して通常以上の電力を消費している場合、エアコンの出力の及ぶ範囲に配置されたドアの開閉センサによる計測値がその日の昼間の時間帯にドアの開閉頻度が多いことを示していれば、外気が頻繁に入り込んだために、その日の昼間はエアコンの消費電力量が多かったと判断できる。
【００５９】
一方、ある日の昼間の時間帯にエアコンが他の日と比較して通常以上の電力を消費している場合、エアコンの出力が及ぶ範囲内に配置されたドアの開閉センサによる計測値がその日の昼間の時間帯にドアの開閉頻度が少ないことを示していれば、外気の影響ではなく、エアコンの設定温度が高すぎたなど別の要因と判断し機器の別のセンサ、設定値を確認できる。
【００６０】
このように、対策を打つべきである原因を少ない操作で簡易に明らかにできる。
さらに、気象情報などの周囲環境の情報を第２グラフ２２０ａ，２２０ｂ，２２０ｃの一部又は全部に表示する場合の利点について記載する。この場合、施設に設けられた機器内の機器内センサ又は施設内外に設けられた機器外センサによる計測値と、気象情報などの周囲環境とが、同一画面に表示されるため、特徴的な傾向を比較することが容易になる。
【００６１】
例えば、施設内の温度センサの計測値に対して、外部で計測された気象情報の気象データを組み合わせて表示する。この場合、施設内の温度変化のうち、その周辺地域の外気温又は湿度との関連性を確認することができる。また、例えば、施設が所在する地域の気象情報を参照して、冷房を設定したエアコンの消費電力量と組み合わせて表示する。この場合、エアコンの消費電力量が比較的多い場合において外気温が比較的高いとき、外気温が高いためにエアコンの消費電力量が多かったと判断できる（通常考えられる現象）。一方、外気温が比較的低いにもかかわらず、冷房を設定したエアコンの消費電力量が比較的多い場合には、外気温と関係なく、設定温度が適切でなかったためにエアコンの消費電力量が多かったと判断できる。これにより、例えば、エアコンの消費電力量が多かった原因を明らかにして、適切な対策を検討できる。
【００６２】
なお、外部による計測値として、気象情報の他に、管理センタで管理している別の施設の同種の機器に関連する計測値が考えられる。例えば、対象機器の消費電力の計測値に対して、管理センタで管理している別の施設の同種の機器の消費電力の計測値を組み合わせて表示する。この場合、同時期に複数の施設で同様の事象が発生していないかを確認することができる。また、共通する外部要因となるようなイベントの影響を考慮した判断を行うことができる。
【００６３】
［第３表示画面］
図６は、一実施の形態に係る情報端末５０の表示部５３のディスプレイに表示される第３表示画面の一例を示す図である。
第３表示画面３００では、第１軸を日単位とし且つ第２軸を時間単位としたグラフ（第１グラフ）３１０、３１５に、センサ（電力計２０、センサ２５，１１ａ，１２ａ，１３ａ等）によって計測された、エネルギー消費機器の動作に関連する、１年間の計測値が、その大きさを同一色の濃淡の違いで表されている。例えば、計測値が大きい場合に濃く、小さい場合に薄く表すようにしてもよい。または、計測値が小さい場合に薄く、大きい場合に濃くなるように表してもよい。
【００６４】
図６の第３表示画面３００の例では、第１グラフ３１０，３１５に計測値がその大きさを同一色の濃淡の違いで表されるようしているが、計測値の大きさを表示色の違いで表すようにしてもよい。
また、第３表示画面３００の例では、第１グラフ３１０，３１５に、１年間の計測値を表示するようにしているが、１月間の計測値を表示するようにしてもよいし、３月間の計測値を表示するようにするなど、複数日間の計測値を表示するようにすればよい。
【００６５】
この第１グラフ３１０，３１５では、例えば図６に示すように、３０分単位の使用電力をその大小に応じて濃淡の変化で表したブロックを第２軸方向に並べ、この使用電力を日ごとに集計したものを第１軸方向に整列させる。
第２表示画面２００から第３表示画面３００に遷移した場合、第１グラフ３１０には、第２表示画面２００の第２グラフ２１０の第１計測値を計測した第１センサの、第２グラフ２１０の表示日を含む、１年間の計測値が表示される。また、第１グラフ３１５には、第２表示画面２００の第２グラフ２２０ａ，２２０ｂ，２２０ｃのうちの操作者によって選択された第２グラフの第２計測値を計測した第２センサの、第２グラフの表示日を含む、１年間の計測値が表示される。
【００６６】
なお、第３表示画面３００の第１グラフ３１０に表される計測値を「第１計測値」、その計測値を計測したセンサを「第１センサ」、そのセンサが備えられている機器を「第１対象機器」と呼ぶことにする。また、第１グラフ３１５に表される計測値を「第２計測値」、その計測値を計測したセンサを「第２センサ」、そのセンサが備えられている機器を「第２対象機器」と呼ぶことにする。なお、上述したように、機器外センサの場合、その機器外センサが設けられる機器自体が存在しないことになるが、記載の簡略化のため、「第１対象機器」、「第２対象機器」は「機器外」として取り扱う。
【００６７】
第１グラフ３１０，３１５の領域内の何れかの領域を操作者が選択した場合、その選択により、情報端末５０の表示部５３のディスプレイの表示内容は、第３表示画面から図５に一例を示す第２表示画面に切り替わる。
第３表示画面３００には、第１グラフ３１０の第１計測値を計測した第１センサとその第１センサが設けられている第１対象機器（第１センサが機器外センサである場合には、その計測場所等）の情報を表示する領域３２０がある。また、第１グラフ３１５の第２計測値を計測した第２センサとその第２センサが設けられている第２対象機器（第２センサが機器外センサである場合には、その計測場所等）の情報を表示する領域３２５がある。
【００６８】
また、第３表示画面３００には、“第１対象機器変更”ボタン３３０、“第１センサ変更”ボタン３４０、“第２対象機器変更”ボタン３３５、“第２センサ変更”ボタン３４５、“表示期間変更”ボタン３５０、３５５が含まれている。
“第１対象機器変更”ボタン３３０は、第１グラフ３１０の第１計測値を、別の機器のセンサの計測値に変更する場合に操作者によって選択される領域である。例えば、選択時点の第１グラフ３１０の第１計測値を計測した第１センサが空調機器１１内の機器内センサである場合、空調機器１１以外の機器内の機器内センサ又は「機器外」の機器外センサによる計測値が第１計測値として第１グラフ３１０に表示される。また、選択時点の第１グラフ３１０の第１計測値を計測した第１センサが機器外センサである場合、機器内の機器内センサによる計測値が第１計測値として第１グラフ３１０に表示される。
【００６９】
“第１センサ変更”ボタン３４０は、第１グラフ３１０の第１計測値を、同じ機器内の別のセンサの計測値に変更する場合に操作者によって選択される領域である。例えば、選択時点の第１グラフ３１０の第１計測値を計測した第１センサが空調機器１１内の機器内センサである場合、空調機器１１内の別の機器内センサによる計測値が第１計測値として第１グラフ３１０に表示される。また、選択時点の第１グラフ３１０の第１計測値を計測した第１センサが機器外センサである場合、「機器外」の別の機器外センサによる計測値が第１計測値として第１グラフ３１０に表示される。
【００７０】
“第２対象機器変更”ボタン３３５は、第１グラフ３１５の第２計測値を、別の機器のセンサの計測値に変更する場合に操作者によって選択される領域である。例えば、選択時点の第１グラフ３１５の第２計測値を計測した第２センサが空調機器１１内の機器内センサである場合、空調機器１１以外の機器内の機器内センサ又は「機器外」の機器外センサによる計測値が第２計測値として第１グラフ３１０に表示される。また、選択時点の第１グラフ３１５の第２計測値を計測した第２センサが機器外センサである場合、機器内の機器内センサによる計測値が第２計測値として第１グラフ３１５に表示される。
【００７１】
“第２センサ変更”ボタン３４５は、第１グラフ３１５の第２計測値を、同じ機器内の別のセンサの計測値に変更する場合に操作者によって選択される領域である。例えば、選択時点の第１グラフ３１５の第２計測値を計測した第２センサが空調機器１１内の機器内センサである場合、空調機器１１内の別の機器内センサによる計測値が第２計測値として第１グラフ３１５に表示される。また、選択時点の第１グラフ３１５の第２計測値を計測した第２センサが機器外センサである場合、「機器外」の別の機器外センサによる計測値が第２計測値として第１グラフ３１５に表示される。
【００７２】
“表示期間変更”ボタン３５０は、第１グラフ３１０、３１５の第１計測値、第２計測値の表示期間を前の年にする場合に操作者によって選択される領域である。また、“表示期間変更”ボタン３５５は、第１グラフ３１０、３１５の第１計測値、第２計測値の表示期間を次の年にする場合に操作者によって選択される領域である。
また、第３表示画面３００には、“前の画面”ボタン３６０が含まれている。“前の画面”ボタン３６０は、第３表示画面３００から第２表示画面２００に戻る場合に操作者によって選択される領域である。
【００７３】
また、第３表示画面３００には、“第１対象”ボタン３７０と“第２対象”ボタン３７５が含まれている。“第１対象”ボタン３７０は、第３表示画面３００の第１グラフ３１０の第１計測値を、第１表示画面１００の第１グラフ１１０の第１計測値として表示する場合に、操作者によって選択される領域である。“第２対象”ボタン３７５は、第３表示画面３００の第１グラフ３１５の第２計測値を、第１表示画面１００の第１グラフ１１０の第１計測値として表示する場合に、操作者によって選択される領域である。
【００７４】
ここで、第３表示画面の第１グラフの利点について記載する。
第３表示画面３００では、第１対象機器の第１センサの第１計測値に加えて、第２対象機器の第２センサの第２計測値を、第１表示画面１００の第１グラフ１１０と同一の体裁の第１グラフ３１０，３１５を用いて、並列して表示させている。これにより、第２対象機器の第２センサについても、一年間の計測値（例えば、消費電力量）という全体傾向を把握できる。そのため、この第２対象機器についてのミクロ的な分析のみならず、第１対象機器と比較してマクロ的な分析を簡易にサポートでき、着目している現象が、複数のセンサないしは複数の機器にわたって発生しているかどうかを速やかに確認できる。
【００７５】
また、これらの計測値双方に同様の傾向がある場合には、対象機器のいずれか一方ではなく、双方に共通する原因があると判断できる。例えば、ある時期において共通して、第１対象機器の消費電力量及び第２対象機器の消費電力量が多くなっている場合、第１対象機器及び第２対象機器の双方に共通する原因があると判断できる。
（情報端末の処理）
図７は、図２の情報端末の処理動作を示すフローチャートである。
【００７６】
情報端末５０の演算処理部５１は、例えばシステム起動直後又はメニュー画面から第１表示画面の表示選択が操作者によってなされた場合、例えば初期設定されたセンサの初期設定された年の１年間の計測値を示すデータの送信要求をサーバ４０に対して行う。そして、演算処理部５１は、この送信要求の応答として、サーバ４０から送信要求に対応した１年間の計測値を示すデータを受信する。そして、演算処理部５１は、受信した１年間の計測値を示すデータを基に、第１グラフ１１０にこの計測値を第１計測値として表した第１表示画面１００を表示部５３に表示する（ステップＳ１０１）。なお、初期設定されたセンサの初期設定された年の１年間の計測値を示すデータの送信要求の代わりに、例えば操作者によって予め指定されたセンサの操作者によって指定された年の１年間の計測値を示すデータの送信要求であってもよく、特に限定されるものではない。
【００７７】
情報端末５０の演算処理部５１は、操作者による第１表示画面１００上での操作を監視し、操作者が機器変更の操作（“第１対象機器変更”ボタン１３０の選択）、センサ変更の操作（“第１センサ変更”ボタン１４０の選択）、１年前又は１年後への期間変更の操作（“表示期間変更”ボタン１５０ａ，１５０ｂの選択）の何れかの操作を行ったかを判定する（ステップＳ１０２）。
【００７８】
機器変更の操作、センサ変更の操作、１年前又は１年後への期間変更の操作の何れかの操作が行われた場合（Ｓ１０２：Ｙ）、ステップＳ１０１において次の処理が行われる。
情報端末５０の演算処理部５１は、操作者の操作に応じた１年間の計測値を示すデータの送信要求をサーバ４０に対して行う。そして、演算処理部５１は、この送信要求の応答として、サーバ４０から送信要求に対応した１年間の計測値を示すデータを受信する。そして、演算処理部５１は、受信した１年間の計測値を示すデータを基に、第１グラフ１１０にこの計測値を第１計測値として表した第１表示画面１００を表示部５３に表示する。
【００７９】
なお、機器変更の操作が行われた場合、送信要求は、現時点での第１グラフ１１０の表示とは別の機器におけるセンサの、第１グラフ１１０の表示年の１年間の計測値を示すデータの送信要求である。また、センサ変更の操作が行われた場合、送信要求は、現時点での第１グラフ１１０の表示とは同じ機器における別のセンサの、第１グラフ１１０の表示年の１年間の計測値を示すデータの送信要求である。また、１年前への期間変更の操作が行われた場合、送信要求は、現時点での第１グラフ１１０の表示と同じセンサの、第１グラフ１１０の表示年の前の年の１年間の計測値を示すデータの送信要求である。また、１年後への期間変更の操作が行われた場合、送信要求は、現時点での第１グラフ１１０の表示と同じセンサの、第１グラフ１１０の表示年の次の年の１年間の計測値を示すデータの送信要求である。
【００８０】
機器変更の操作、センサ変更の操作、１年前又は１年後への期間変更の操作の何れの操作も行われていない場合（Ｓ１０２：Ｎ）、情報端末５０の演算処理部５１は、操作者が第１グラフ１１０の領域内で選択操作を行ったかを判定する（ステップＳ１０３）。第１グラフ１１０の領域内で選択操作が行われていない場合（Ｓ１０３：Ｎ）、ステップＳ１０２の処理に戻る。
【００８１】
第１グラフ１１０の領域内で選択操作が行われた場合（Ｓ１０３：Ｙ）、次のステップＳ１０４の処理が行われる。
情報端末５０の演算処理部５１は、現時点での第１グラフ１１０の表示とは別のセンサ（図５の第２表示画面の例では３つ）の、操作者による指定年月日の、１日間の計測値を示すデータの送信要求をサーバ４０に対して行う。この操作者による指定年月日は、第１グラフ１１０の領域内で操作者が選択操作した領域に対応する日である。そして、演算処理部５１は、この送信要求の応答として、サーバ４０から送信要求に対応した別のセンサ（３つ）の、操作者による指定年月日の、１日間の計測値を示すデータを受信する。そして、演算処理部５１は、第２表示画面を表示する。第２表示画面の第２グラフ２１０は、第１グラフ１１０の第１計測値の表示に用いたデータのうちの操作者の指定年月日の１日間の計測値を示すデータを基に表される。また、第２グラフ２２０ａ，２２０ｂ，２２０ｃは、送信要求の応答として受信した３つの別のセンサの操作者の指定年月日の１日間の計測値を示すデータを基に表示される。
【００８２】
なお、第１表示画面１００から第２表示画面２００への遷移時に第２グラフ２２０ａ，２２０ｂ，２２０ｃに表示される第２計測値を計測した３つのセンサは、初期設定されたセンサ、操作者によって予め指定されたセンサなど、特に限定されるものではない。
情報端末５０の演算処理部５１は、操作者による第２表示画面２００上での操作を監視し、操作者が“前の画面”ボタン２９０の選択操作を行ったかを判定する（ステップＳ１０５）。“前の画面”ボタン２９０の選択操作がされた場合（Ｓ１０５：Ｙ）、情報端末５０の演算処理部５１は、第２表示画面２００に移行する前の第１表示画面１００を表示部５３に表示し（ステップＳ１０６）、ステップＳ１０２の処理が行われる。
【００８３】
“前の画面”ボタン２９０の選択操作がされていない場合（Ｓ１０５：Ｎ）、情報端末５０の演算処理部５１は、操作者が機器変更の操作（“第２対象機器変更”ボタン２５０の選択）、センサ変更の操作（“第２センサ変更”ボタン２６０の選択）、気象表示の操作（“気象庁”ボタン２７０の選択）、１日前又は１日後への期間変更の操作（“表示期間変更”ボタン２８０ａ，２８０ｂの選択）の何れかの操作を行ったかを判定する（ステップＳ１０７）。
【００８４】
機器変更の操作、センサ変更の操作、気象表示の操作、１日前又は１日後への期間変更の操作の何れかの操作が行われた場合（Ｓ１０７：Ｙ）、ステップＳ１０４において次の処理が行われる。
情報端末５０の演算処理部５１は、操作者の操作に応じた、第２グラフ２２０ａ，２２０ｂ，２２０ｃ用の１日間の計測値を示すデータの送信要求をサーバ４０に対して行う。そして、演算処理部５１は、この送信要求の応答として、サーバ４０から送信要求に対応した第２グラフ２２０ａ，２２０ｂ，２２０ｃ用の１日間の計測値を示すデータを受信する。そして、演算処理部５１は、受信した第２グラフ２２０ａ，２２０ｂ，２２０ｃ用の１日間の計測値を示すデータを基に、第２グラフ２２０ａ，２２０ｂ，２２０ｃにこれら計測値を第２計測値として表した第２表示画面２００を表示部５３に表示する。
【００８５】
なお、機器変更の操作が行われた場合、送信要求は、現時点での第２グラフ２２０ａ，２２０ｂ，２２０ｃの表示とは別の機器におけるセンサの、第２グラフ２２０ａ，２２０ｂ，２２０ｃの表示日の１日間の計測値を示すデータの送信要求である。また、センサ変更の操作が行われた場合、送信要求は、現時点での第２グラフ２２０ａ，２２０ｂ，２２０ｃの表示とは同じ機器における別のセンサの、第２グラフ２２０ａ，２２０ｂ，２２０ｃの表示日の１日間の計測値を示すデータの送信要求である。また、気象表示の操作が行われた場合、送信要求は、第２グラフ２２０ａ，２２０ｂ，２２０ｃの表示日の１日間の施設の所在地の気象情報を示す気象データの送信要求である。１日前への期間変更の操作が行われた場合、送信要求は、現時点での第２グラフ２２０ａ，２２０ｂ，２２０ｃの表示と同じセンサの、第２グラフ２２０ａ，２２０ｂ，２２０ｃの表示日の前の日の１日間の計測値を示すデータの送信要求である。また、１日後への期間変更の操作が行われた場合、送信要求は、現時点での第２グラフ２２０ａ，２２０ｂ，２２０ｃの表示と同じセンサの、第２グラフ２２０ａ，２２０ｂ，２２０ｃの表示日の次の日の１日間の計測値を示すデータの送信要求である。
【００８６】
機器変更の操作、センサ変更の操作、気象表示の操作、１日前又は１日後への期間変更の操作の何れの操作も行われていない場合（Ｓ１０７：Ｎ）、情報端末５０の演算処理部５１は、比較対象の決定操作（第２グラフ２２０ａ，２２０ｂ，２２０ｃの何れかのグラフの選択操作）が行われたかを判定する（ステップＳ１０８）。比較対象の決定操作が行われていない場合（Ｓ１０８：Ｎ）、ステップＳ１０５の処理に戻る。
【００８７】
比較対象の決定操作が行われた場合（Ｓ１０８：Ｙ）、次のステップＳ１０９の処理が行われる。
情報端末５０の演算処理部５１は、第２グラフ２２０ａ，２２０ｂ，２２０ｃのうち比較対象として決定された第２グラフの第２計測値を計測した第２センサの、第２グラフの表示日を含む年の１年間の計測値を示すデータの送信要求をサーバ４０に対して行う。そして、演算処理部５１は、この送信要求の応答として、サーバ４０から送信要求に対応した１年間の計測値を示すデータを受信する。そして、演算処理部５１は、第３表示画面を表示する。第３表示画面の第１グラフ３１０は、第２表示画面２００の第２グラフ２１０に関連するものであり、既に取得している第１グラフ１１０の第１計測値の表示に用いたデータを基に表される。また、第１グラフ３１５は、第２表示画面２００の第２グラフ２２０ａ，２２０ｂ，２２０ｃのうち操作者によって選択された第２グラフに関連するものであり、送信要求の応答として受信した１年間の計測値を示すデータを基に表される。
【００８８】
情報端末５０の演算処理部５１は、操作者による第３表示画面３００上での操作を監視し、操作者が“前の画面”ボタン３６０の選択操作を行ったかを判定する（ステップＳ１１０）。“前の画面”ボタン３６０の選択操作がされた場合（Ｓ１１０：Ｙ）、情報端末５０の演算処理部５１は、第３表示画面３００に移行する前の第２表示画面２００を表示部５３に表示する（ステップＳ１１１）。
【００８９】
“前の画面”ボタン３６０の選択操作がされていない場合（Ｓ１１０：Ｎ）、情報端末５０の演算処理部５１は、操作者が機器変更の操作（“第１対象機器変更”ボタン３３０、“第２対象機器変更”ボタン３３５の選択）、センサ変更の操作（“第１センサ変更”ボタン３４０、“第２センサ変更”ボタン３４５の選択）、１年前又は１年後への期間変更の操作（“表示期間変更”ボタン３５０，３５５の選択）の何れかの操作を行ったかを判定する（ステップＳ１１２）。
【００９０】
機器変更の操作、センサ変更の操作、１年前又は１年後への期間変更の操作の何れかの操作が行われた場合（Ｓ１１２：Ｙ）、ステップＳ１０９において次の処理が行われる。
情報端末５０の演算処理部５１は、操作者の操作に応じた１年間の計測値を示すデータの送信要求をサーバ４０に対して行う。そして、演算処理部５１は、この送信要求の応答として、サーバ４０から送信要求に対応した１年間の計測値を示すデータを受信する。そして、演算処理部５１は、受信した１年間の計測値を示すデータを基に、第１グラフ３１０，３１５の一方又は双方の内容を更新した第３表示画面３００を表示部５３に表示する。
【００９１】
なお、第１対象機器の機器変更の操作が行われた場合、送信要求は、現時点での第１グラフ３１０の表示とは別の機器におけるセンサの、第１グラフ３１０の表示年の１年間の計測値を示すデータの送信要求である。第２対象機器の機器変更の操作が行われた場合、送信要求は、現時点での第１グラフ３１５の表示とは別の機器におけるセンサの、第１グラフ３１５の表示年の１年間の計測値を示すデータの送信要求である。また、第１センサのセンサ変更の操作が行われた場合、送信要求は、現時点での第１グラフ３１０の表示とは同じ機器の別のセンサの、第１グラフ３１０の表示年の１年間の計測値を示すデータの送信要求である。また、第２センサのセンサ変更の操作が行われた場合、送信要求は、現時点での第１グラフ３１５の表示とは同じ機器の別のセンサの、第１グラフ３１５の表示年の１年間の計測値を示すデータの送信要求である。また、１年前への期間変更の操作が行われた場合、送信要求は、現時点での第１グラフ３１０、３１５の夫々の表示と同じセンサの、第１グラフ３１０，３１５の表示年の前の年の１年間の計測値を示すデータの送信要求である。また、１年後への期間変更の操作が行われた場合、送信要求は、現時点での第１グラフ３１０、３１５の夫々の表示と同じセンサの、第１グラフ３１０，３１５の表示年の次の年の１年間の計測値を示すデータの送信要求である。
【００９２】
機器変更の操作、センサ変更の操作、１年前又は１年後への期間変更の操作の何れの操作も行われていない場合（Ｓ１１２：Ｎ）、情報端末５０の演算処理部５１は、操作者が第１表示画面１００の第１グラフ１１０に表示させる対象の選択（“第１対象”ボタン３７０、“第２対象”ボタン３７５の選択）を行ったかを判定する（ステップＳ１１３）。
対象選択が行われた場合には（Ｓ１１３：Ｙ）、ステップＳ１０６において次の処理が行われる。情報端末５０の演算処理部５１は、操作者が“第１対象”ボタン３７０を選択していた場合には、第１グラフ３１０の第１計測値を第１グラフ１１０の第１計測値とした第１表示画面を表示部５３に表示する。また、操作者が“第２対象”ボタン３７５を選択していた場合には、第１グラフ３１５の第２計測値を第１グラフ１１０の第１計測値とした第１表示画面を表示部５３に表示する。
【００９３】
対象選択が行われていない場合には（Ｓ１１３：Ｎ）、情報端末５０の演算処理部５１は、操作者が第１グラフ３１０，３１５の領域内で選択操作を行ったかを判定する（ステップＳ１１４）。第１グラフ３１０，３１５の領域内で選択操作が行われていない場合（Ｓ１１４：Ｎ）、ステップＳ１１０の処理に戻る。
第１グラフ３１０，３１５の領域内で選択操作が行われた場合（Ｓ１１４：Ｙ）、次のステップＳ１０９の処理が行われる。
【００９４】
第１グラフ３１０の領域内で選択操作が行われた場合は次の処理になる。
情報端末５０の演算処理部５１は、現時点での第１グラフ３１０の表示とは別のセンサ（図５の第２表示画面の例では３つ）の、操作者による指定年月日の、１日間の計測値を示すデータの送信要求をサーバ４０に対して行う。この操作者による指定年月日は、第１グラフ３１０の領域内で操作者が選択操作した領域に対応する日である。そして、演算処理部５１は、この送信要求の応答として、サーバ４０から送信要求に対応した別のセンサ（３つ）の、操作者による指定年月日の、１日間の計測値を示すデータを受信する。そして、演算処理部５１は、第２表示画面を表示する。第２表示画面の第２グラフ２１０は、第１グラフ３１０の第１計測値の表示に用いたデータのうちの操作者の指定年月日の１日間の計測値を示すデータを基に表される。また、第２グラフ２２０ａ，２２０ｂ，２２０ｃは、送信要求の応答として受信した３つの別のセンサの操作者の指定年月日の１日間の計測値を示すデータを基に表される。
【００９５】
第１グラフ３１５の領域内で選択操作が行われた場合は次の処理になる。
情報端末５０の演算処理部５１は、現時点での第１グラフ３１５の表示とは別のセンサ（図５の第２表示画面の例では３つ）の、操作者による指定年月日の、１日間の計測値を示すデータの送信要求をサーバ４０に対して行う。この操作者による指定年月日は、第１グラフ３１５の領域内で操作者が選択操作した領域に対応する日である。そして、演算処理部５１は、この送信要求の応答として、サーバ４０から送信要求に対応した別のセンサ（３つ）の、操作者による指定年月日の、１日間の計測値を示すデータを受信する。そして、演算処理部５１は、第２表示画面を表示する。第２表示画面の第２グラフ２１０は、第１グラフ３１５の第２計測値の表示に用いたデータのうちの操作者の指定年月日の１日間の計測値を示すデータを基に表される。また、第２グラフ２２０ａ，２２０ｂ，２２０ｃは、送信要求の応答として受信した３つの別のセンサの操作者の指定年月日の１日間の計測値を示すデータを基に表される。
【００９６】
（表示画面の遷移）
以下、第１表示画面、第２表示画面、第３表示画面間の画面遷移について記載する。
図８は、図２の情報端末５０の表示部５３のディスプレイに表示される表示画面の遷移を表す遷移図である。但し、図８では、第１表示画面、第２表示画面、第３表示画面が表示されている状態を状態Ａ、Ｂ、Ｃと表記し、初期状態をＳと表記している。但し、初期状態Ｓは、システム起動直後等の特に第１表示画面等が表示される前の便宜的な状態である。なお、情報端末５０がサーバ４０から取得する情報については図７を用いた説明において記載しているので、画面遷移の説明においては、省略する。
【００９７】
この初期状態Ｓから、第１表示画面を表示するための操作者の操作により、第１表示画面１００が表示される（初期状態Ｓから状態Ａに遷移）。
第１表示画面１００において、操作者が“第１対象機器変更”ボタン１３０（機器の変更）、“第１センサ変更”ボタン１４０（センサの変更）、“表示期間変更”ボタン１５０ａ，１５０ｂ（期間の変更）を選択する。この場合、情報端末５０の表示部５３には、第１グラフ１１０の計測値の内容が更新された第１表示画面１００が表示される（状態Ａから状態Ａに遷移）。
【００９８】
第１表示画面１００において、操作者が第１グラフ１１０の領域内を選択する（年月日指定）。これにより、情報端末５０の表示部５３の表示内容は、第１表示画面１００から第２表示画面２００に切り替わる（状態Ａから状態Ｂに遷移）。
第２表示画面２００において、操作者が“前の画面”ボタン２９０を選択する。これにより、情報端末５０の表示部５３の表示内容は、第２表示画面２００から第１表示画面１００に切り替わる（状態Ｂから状態Ａに遷移）。
【００９９】
第２表示画面２００において、操作者が“第２対象機器変更”ボタン２５０（機器の変更）、“第２センサ変更”ボタン２６０（センサの変更）、“表示期間変更”ボタン２８０ａ，２８０ｂ（期間の変更）、“気象庁”ボタン２７０（気象表示）を選択する。これにより、情報端末５０の表示部５３には、第２グラフ２２０ａ，２２０ｂ，２２０ｃの計測値の内容が更新された第２表示画面２００が表示される（状態Ｂから状態Ｂに遷移）。
【０１００】
第２表示画面２００において、操作者が第２グラフ２２０ａ，２２０ｂ，２２０ｃの何れかを選択する（比較対象の選択）。これにより、情報端末５０の表示部５３の表示内容は、第２表示画面２００から第３表示画面３００に切り替わる（状態Ｂから状態Ｃに遷移）。
第３表示画面において、操作者が“前の画面”ボタン３６０を選択する。これにより、情報端末５０の表示部５３の表示内容は、第３表示画面３００から第２表示画面２００に戻る（状態Ｃから状態Ｂに遷移）。
【０１０１】
第３表示画面３００において、操作者が“第１対象機器変更”ボタン３３０（機器の変更）、“第１センサ変更”ボタン３４０（センサの変更）、“第２対象機器変更”ボタン３３５（機器の変更）、“第２センサ変更”ボタン３４５（センサの変更）、“表示期間変更”ボタン３５０，３５５（期間の変更）を選択する。これにより、情報端末５０の表示部５３には、第１グラフ３１０，３１５の一方又は双方の計測値の内容が更新された第３表示画面３００が表示される（状態Ｃから状態Ｃに遷移）。
【０１０２】
第３表示画面３００において、操作者が第１グラフ３１０、３１５の領域内を選択する（年月日指定）。これにより、情報端末５０の表示部５３の表示内容は、第３表示画面３００から第２表示画面２００に切り替わる（状態Ｃから状態Ｂに遷移）。
第３表示画面３００において、操作者が“第１対象”ボタン３７０、“第２対象”ボタン３７５の何れかを選択する。これにより、情報端末５０の表示部５３の表示内容は、第３表示画面３００から第１表示画面１００に切り替える（状態Ｃから状態Ａに遷移）。
【０１０３】
≪補足（その１）≫
本発明は上記の実施の形態で説明した内容に限定されず、本発明の目的とそれに関連又は付随する目的を達成するためのいかなる形態においても実施可能であり、例えば、以下であってもよい。
（１）  上記の一実施の形態において、第１グラフ１１０に計測値の大きさの違いを同一色の濃淡の変化、又は、表示色の変化で表すことを記載しているが、これに限定されるものではなく、例えば、図９、図１０、図１１に示す表示様式など、第１グラフ１１０の計測値の表示様式は計測値の大きさの変化が分かるような表示様式であればよい。
【０１０４】
図９の例では、第１グラフ１１０に計測値の大きさの違いを網掛けの変化で表している。また、図１０の例では、第１グラフ１１０に計測値の違いを記号の違いで表している。さらに、図１１の例では、第１グラフ１１０に計測値の違いをアイコンの違いで表している。
（２）上記の一実施の形態では、第１表示画面１００から第３表示画面３００に遷移するためには、第２表示画面２００を経由するようになっている。しかしながら、これに限定されるものではなく、第１表示画面１００から第３表示画面３００に直接遷移することができるようにしてもよい。例えば、次のようにして実現できる。第１表示画面１００に操作者が第１グラフを複数表示させる指示を行う操作領域を設ける。そして、操作者がこの操作領域に対して操作した場合、情報端末５０の演算処理部５１は、サーバ４０に対して、第１グラフ１１０の表示年の、別のセンサの１年間の計測値を示すデータの送信要求を行い、この応答としてサーバ４０から送信要求を行った１年間の計測値を示すデータを受信する。そして、演算処理部５１は、第１グラフ１１０の第１計測値を第１グラフ３１０の第１計測値として表し、受信した計測値を第１グラフ３１５の第２計測値として表した第３表示画面３００を表示部５３に表示する。
【０１０５】
（３）上記の一実施の形態では、第１表示画面１００において操作者が施設の所在地の気象情報の表示の指示操作を行うことができるようになっていない。しかしながら、これに限定されるものではなく、第１表示画面１００において操作者が施設の所在地の気象情報の表示の指示操作を行うことができるようにしてもよい。
例えば、第１グラフ１１０の１日分の計測値を表す領域を「別センサの計測値の表示の指示操作」用の領域と「気象情報の表示の指示操作」用の領域とに分ける。そして、操作者が「別センサの計測値の表示の指示操作」用の領域を選択操作した場合、選択操作された領域に対応する年月日の１日間の別のセンサの計測値が第２表示画面２００の第２グラフ２２０ａ，２２０ｂ，２２０ｃに表示されるようにする。一方、操作者が「気象情報の表示の指示操作」用の領域を選択操作した場合、情報端末５０の演算処理部５１は、サーバ４０に対して、選択操作された領域に対応する年月日の１日間の施設の所在地の気象情報を示すデータの送信要求を行い、この応答としてサーバ４０から送信要求を行った１日間の施設の所在地の気象情報を示すデータを受信する。そして、演算処理部５１は、受信した施設の所在地の気象情報を第２表示画面２００の第２グラフ２２０ａ，２２０ｂ，２２０ｃに表す。
【０１０６】
また、第１表示画面１００内に“気象庁”ボタンを設ける。そして、“気象庁”ボタンが操作者によって選択操作された場合、情報端末５０の演算処理部５１は、第１グラフ１１０の表示年の１年間の施設の所在地の気象情報を示すデータの送信要求をサーバ４０に対して行い、この応答としてサーバ４０から送信要求を行った１年間の施設の所在地の気象情報を示すデータを受信する。そして、演算処理部５１は、受信した施設の所在地の気象情報を第３表示画面３００の第１グラフ３１５に表す。
【０１０７】
（４）上記の一実施の形態では、第２表示画面２００において、操作者が第２グラフ２２０ａ等の第２センサの計測値の１年分を第１表示画面１００の第１グラフ１１０への表示の指示操作を行うことができるようになっていない。しかしながら、これに限定されるものではなく、第２表示画面２００において、操作者が第２グラフ２２０ａ等の第２センサの計測値の１年分の、第１表示画面１００の第１グラフ１１０への表示の指示操作を行うことができるようにしてもよい。
【０１０８】
この場合、第２表示画面２００から第１表示画面１００への切り替え又は第３表示画面３００への切り替えが行われることになる。そこで、例えば、どちらの画面への切り替えかを操作者が選択するためのインジケータを設け、操作者はそのインジケータでどちらの画面への切り替えるかを指定した後に、第２グラフ２２０ａ，２２０ｂ，２２０ｃの何れかの領域内を選択するようにする。
【０１０９】
（５）  上記の一実施の形態において、機器の変更又はセンサの変更の際に、施設に設けられた機器を順番に選択して変更するようにしてもよく、また、センサを順番に選択するようにしてもよい。また、機器毎に他の機器の表示順位、又は、センサ毎に他の機器の表示順位を決めておき、機器の変更又はセンサの変更の際に、その表示順位に従って選択するようにしてもよい。
【０１１０】
（６）  上記の一実施の形態における第１センサ及び第２センサ等について記載する。
並行して表示する第１計測値と第２計測値の関連性として、特定の対象機器に装備されている複数のセンサによる計測値（第１計測値と第２計測値は同じ機器の異なるセンサによるもの）が考えられる。例えば、ある空調機器の吸込み温度の計測値と風量の計測値、ある冷ケースの庫内温度の計測値と設定温度の計測値、ある照明機器の照度の計測値と消費電力の計測値などである。
【０１１１】
また、同種の複数の機器に装備されている特定種別のセンサによる計測値（第１計測値と第２計測値は異なる機器の同種のセンサによるもの）が考えられる。例えば、異なる空調機器のそれぞれの吸込み温度の計測値、異なる扉のそれぞれの開閉パルスのカウンタ値などである。
また、近隣に設置されている機器の特定種別のセンサによる計測値（第１計測値と第２計測値は近隣にあるセンサによるもの）が考えられる。例えば、ドアの開閉パルスのカウンタ値と近隣の温湿度センサの計測値（ドアから／ドアへの空気流の影響の範囲内）、照明機器の消費電力の計測値と同エリアの空調機器の消費電力の計測値（照明が届く範囲内）などが考えられる。
【０１１２】
また、物理的な因果関係が想定される複数のセンサによる計測値（第１センサの第１計測値と第２センサの第２計測値は物理的な因果関係／相関関係をもつセンサによるもの）が考えられる。例えば、空調機器の風量の計測値と風が届く範囲の冷ケースの庫内温度の計測値、建物内の温湿度センサの計測値と気象データの日照時間の計測値などである。
また、設備的な接続関係にある複数の対象機器に装備されている複数のセンサによる計測値（第１計測値と第２計測値は設備として接続関係にある機器のセンサによるもの）が考えられる。例えば、空調機器の吹出し温度の計測値と対応する冷凍機（室外機）の冷媒圧力の計測値、冷凍機（室外機）の吸い込み温度の計測値と接続されている給水機の給水量の計測値などが考えられる。
【０１１３】
なお、因果関係／相関関係にあるセンサが多数になる場合、数値で範囲を限定するとよい。例えば、換気口／吹き出し口からの吹出し風量が何％及ぶ（または、半径何ｍの）範囲であるか、照明の照度が設計必要照度の何％及んでいる範囲であるか、扉／温度センサ／冷ケースから半径何ｍの範囲であるかなどを基準とし、第２表示画面に並行して表示できる数をしぼって、（複数の）第２計測値を選択するようにしてもよい。
【０１１４】
また、対象のセンサの計測値（第１計測値）とそれ以外のセンサの計測値（第２計測値となる可能性がある）の相関係数を求めて、相関係数が例えば−１から−０．５の範囲内、又は、０．５から１の範囲内にある、それ以外のセンサの計測値を、（複数の）第２計測値として選択するようにしてもよい。
なお、上記内容の一部を含む内容をさらに記載する。
【０１１５】
例えば、第１センサが空調機器の電力計であり、第１計測値は空調機器の消費電力量又は空調機器の瞬時消費電力量である。また、第１センサが空調機器の吐出センサであり、第１計測値は空調機器の吐出温度である。また、第１センサは空調機器の風量センサであり、第１計測値は空調機器の風量である。
例えば、第１対象機器が空調機器であるとき、第２計測値は、空調機器から出力される風の風速が所定の閾値以上である範囲の環境情報である。また、第２センサが照明機器の電力計であり、第２計測値は照明機器の消費電力量又は照明機器の瞬時消費電力量である。第２センサが照明機器の照度計であり、第２計測値は照明機器の明るさを示す情報である。第１対象機器が照明機器であるとき、第２計測値は、照明機器の出力量が所定の閾値以上及ぶ範囲の環境情報である。第２センサがドアの開閉センサである場合、第２計測値はドアの開閉回数を示す情報である。なお、第２センサは２４時間動作する設定がなされている特定機器、例えば、冷凍機を計測するセンサを除くようにしてもよい。
【０１１６】
（７）上記実施の形態または補足（その１）などで説明した情報端末は、集積回路であるＬＳＩ（Ｌａｒｇｅ  Ｓｃａｌｅ  Ｉｎｔｅｇｒａｔｉｏｎ）で実現してもよい。このとき、各構成要素は、個別に１チップ化されてもよいし、一部もしくは全てを含むように１チップ化されてもよい。また、ここでは、ＬＳＩとしたが、集積度の違いにより、ＩＣ（Ｉｎｔｅｇｒａｔｅｄ  Ｃｉｒｃｕｉｔ）、システムＬＳＩ、スーパーＬＳＩ、ウルトラＬＳＩと呼称されることもある。また、集積回路化の手法はＬＳＩに限るものではなく、専用回路又は汎用プロセサで実現してもよい。ＦＰＧＡ（Ｆｉｅｌｄ  Ｐｒｏｇｒａｍｍａｂｌｅ  Ｇａｔｅ  Ａｒｒａｙ）、またはＬＳＩ内部の回路セルの接続、または設定を再構成可能なリコンフィギュラブル・プロセサを利用してもよい。さらに、半導体技術の進歩又は派生する別技術によりＬＳＩに置き換わる集積回路化の技術が登場すれば、当然その技術を用いて機能ブロックの集積化を行ってもよい。
【０１１７】
（８）上記の実施の形態または補足（その１）などで説明した情報端末の動作の手順の少なくとも一部をプログラムに記載し、例えばＣＰＵ（Ｃｅｎｔｒａｌ  Ｐｒｏｃｅｓｓｉｎｇ  Ｕｎｉｔ）がメモリに記憶された当該プログラムを読み出して実行するようにしてもよい。また、上記プログラムを記録媒体に保存して頒布等するようにしてもよい。
（９）一実施の形態又は補足（その１）において説明した内容を適宜組み合わせるようにしてもよい。
【０１１８】
≪補足（その２）≫
一実施の形態及び補足（その１）に係る統合制御方法、統合制御装置、プログラム及び情報端末についてまとめる。
本開示の情報端末の制御方法の第１態様は、第１計測機器で計測された、施設に設置されたエネルギー消費機器の動作に関連する第１計測値のデータを記憶する記憶装置からデータを取得する、ディスプレイを備えた情報端末の制御方法であって、第１計測機器で計測された、前記エネルギー消費機器の動作に関連する、複数日間の第１計測値の表示の要求を受け付けると、前記記憶装置から複数日間の前記第１計測値のデータを取得させ、前記複数日間の前記第１計測値の前記データに基づき、第１軸を日単位とし且つ第２軸を時間単位とした第１グラフに、前記第１計測値の大きさを、表示様式の違いで表した第１表示画面を前記ディスプレイに表示させる。
【０１１９】
また、本開示のプログラムの一態様は、第１計測機器で計測された、施設に設置されたエネルギー消費機器の動作に関連する第１計測値のデータを記憶する記憶装置からデータを取得する、ディスプレイを備えた情報端末において実行されるプログラムであって、前記情報端末に、第１計測機器で計測された、前記エネルギー消費機器の動作に関連する、複数日間の第１計測値の表示の要求を受け付けると、前記記憶装置から複数日間の前記第１計測値のデータを取得させ、前記複数日間の前記第１計測値の前記データに基づき、第１軸を日単位とし且つ第２軸を時間単位とした第１グラフに、前記第１計測値の大きさを、表示様式の違いで表した第１表示画面を前記ディスプレイ表示させる。
【０１２０】
また、本開示の情報端末の一態様は、第１計測機器で計測された、施設に設置されたエネルギー消費機器の動作に関連する第１計測値のデータを記憶する記憶装置からデータを取得する、ディスプレイを備えた情報端末であって、第１計測機器で計測された、前記エネルギー消費機器の動作に関連する、複数日間の第１計測値の表示の要求を受け付けると、前記記憶装置から複数日間の前記第１計測値のデータを取得する取得部と、前記複数日間の前記第１計測値の前記データに基づき、第１軸を日単位とし且つ第２軸を時間単位とした第１グラフに、前記第１計測値の大きさを、表示様式の違いで表した第１表示画面を前記ディスプレイに表示させる表示制御部と、を備える。
【０１２１】
これらの態様によれば、第１グラフは、第１軸と第２軸とを共に時間軸とした二次元のグラフを用いて、３番目の要素としての計測値をその大きさを濃淡の変化で表示している。このため、二次元グラフを用いつつも、３つの要素（日、時間、計測値）を１つの第１グラフに表すことができる。その結果、複数日間のマクロ的な計測値の評価とそれより短いミクロ的な計測値の評価を簡易に行うことができる。
【０１２２】
情報端末の制御方法の第２態様は、第１態様において、前記複数日間のうちの所定日における、前記第１計測値と、第２計測機器で計測された第２計測値とを併せて表示する要求を受け付けると、前記記憶装置から前記所定日の前記第２計測値のデータを取得させ、前記所定日の前記第１計測値の前記データ及び前記第２計測値の前記データに基づき、前記第１計測値及び前記第２計測値を、それぞれ、前記所定日の時間単位を第３軸とし且つ前記第１計測値の単位及び前記第２の計測値の単位を第４軸とした第２グラフに表した第２表示画面を前記ディスプレイに表示させる。
【０１２３】
この態様によれば、異なる計測機器の同時期の計測値を参照してミクロ的な計測値の評価を行うことができる。
情報端末の制御方法の第３態様は、第２態様において、前記所定日における前記第１計測値及び前記第２計測値の表示の要求は、前記第１グラフの領域内の前記所定日に対応する領域を前記情報端末の操作者が選択することによりなされる。
【０１２４】
この態様によれば、操作者は第２グラフに表示する所定日の指定を行いやすくなる。
情報端末の制御方法の第４態様は、第１態様において、前記複数日間における、前記第１計測値と、第２計測機器で計測された第２計測値とを併せて表示する要求を受け付けると、前記記憶装置から前記複数日間の前記第２計測値のデータを取得させ、前記複数日間の前記第１計測値の前記データ及び前記第２計測値の前記データに基づき、前記第１グラフに前記第１計測値の大きさ及び前記第２計測値の大きさをそれぞれ表示様式の違いで表した第３表示画面を前記ディスプレイに表示させる。
【０１２５】
この態様によれば、異なる計測機器の同時期の計測値を参照して複数日間のマクロ的な計測値の評価を行うことができる。
情報端末の制御方法の第５態様は、第２態様または第３態様において、前記情報端末の操作者により前記第２計測値が表示された前記第２グラフ内の領域が選択されると、前記記憶装置から前記複数日間の前記第２計測値のデータを取得させ、前記複数日間の前記第１計測値の前記データ及び前記第２計測値の前記データに基づき、前記第１グラフに前記第１計測値の大きさ及び前記第２計測値の大きさをそれぞれ表示様式の違いで表した第３表示画面を前記ディスプレイに表示させる。
【０１２６】
この態様によれば、異なる計測機器の同時期の計測値を参照して複数日間のマクロ的な計測値の評価を行うことができる。
情報端末の制御方法の第６態様は、第２態様、第３態様または第５態様において、前記所定日における、前記施設の所在地の気象情報を表示する要求を受け付けると、気象情報のデータを記憶する記憶装置から前記所定日における、前記施設の所在地の気象情報のデータを取得させ、前記施設の所在地の気象情報の前記データに基づき、前記施設の所在地の気象情報を、前記所定日の時間単位を前記第３軸とし且つ前記気象情報の単位を前記第４軸とした前記第２グラフに表した前記第２表示画面を前記ディスプレイに表示させる。
【０１２７】
この態様によれば、同時期の施設の所在地の気象情報を参照して計測値の評価を行うことができる。
情報端末の制御方法の第７態様は、第１態様または第４態様において、前記複数日間のうちの所定日における、前記施設の所在地の気象情報を表示する要求を受け付けると、気象情報のデータを記憶する記憶装置から前記所定日における、前記施設の所在地の気象情報のデータを取得させ、前記所定日の前記第１計測値の前記データ及び前記施設の所在地の気象情報の前記データに基づき、前記第１計測値及び前記施設の所在地の気象情報を、それぞれ、前記所定日の時間単位を第５軸とし且つ前記第１計測値の単位及び前記気象情報の単位を第６軸とした第４グラフに表した第４表示画面を前記ディスプレイに表示させる。
【０１２８】
この態様によれば、同時期の施設の所在地の気象情報を参照して計測値の評価を行うことができる。
情報端末の制御方法の第８態様は、第７態様において、前記複数日間のうちの所定日における、前記施設の所在地の気象情報を表示する要求は、前記第１表示画面に含まれる前記第１グラフの領域内のいずれかの領域を前記情報端末の操作者が選択することによりなされる。
【０１２９】
この態様によれば、操作者は気象情報の要求を行いやすくなる。
情報端末の制御方法の第９態様は、第１態様から第８態様の何れかにおいて、前記複数日間は、１年間である。
情報端末の制御方法の第１０態様は、第１態様から第８態様の何れかにおいて、前記複数日間は、１月間である。
【０１３０】
情報端末の制御方法の第１１態様は、第２態様、第３態様、第５態様、または第６態様において、前記第２計測値は複数あり、前記第２グラフは複数あり、前記複数の第２計測値の各々に対応する。
情報端末の制御方法の第１２態様は、第１態様から第１１態様の何れかにおいて、前記第１計測機器が空調機器の電力計であり、前記第１計測値は前記空調機器の消費電力量又は前記空調機器の瞬時消費電力量である。
【０１３１】
情報端末の制御方法の第１３態様は、第１態様から第１１態様の何れかにおいて、前記第１計測機器が空調機器の吐出センサであり、前記第１計測値は前記空調機器の吐出温度である。
情報端末の制御方法の第１４態様は、第１態様から第１１態様において、前記第１計測機器が空調機器の風量センサであり、前記第１計測値は前記空調機器の風量である。
【０１３２】
情報端末の制御方法の第１５態様は、第１２態様から第１４態様において、前記エネルギー消費機器が空調機器であるとき、前記第２計測値は、前記空調機器から出力される風の風速が所定の閾値以上である範囲の環境情報を含む。
情報端末の制御方法の第１６態様は、第１２態様から第１４態様において、前記第２計測機器が照明機器の電力計であり、前記第２計測値は前記照明機器の消費電力量又は前記照明機器の瞬時消費電力量である。
【０１３３】
情報端末の制御方法の第１７態様は、第１２態様から第１４態様において、前記第２計測機器が照明機器の照度計であり、前記第２計測値は前記照明機器の明るさを示す情報である。
情報端末の制御方法の第１８態様は、第１２態様から第１４態様において、前記エネルギー消費機器が照明機器であるとき、前記第２計測値は、前記照明機器の出力量が所定の閾値以上及ぶ範囲の環境情報を含む。
【０１３４】
情報端末の制御方法の第１９態様は、第１２態様から第１４態様において、前記第２計測機器がドアの開閉センサであるとき、前記第２計測値は、前記ドアの開閉回数を示す情報である。
情報端末の制御方法の第２０態様は、第２態様、第３態様、第５態様、第６態様において、前記第２計測値は前記第１計測値に相関するものであり、前記第１計測値と前記第２計測値との相関係数は、−１から−０．５又は０．５から１の範囲内にある。
【０１３５】
情報端末の制御方法の第２１態様は、第２態様、第３態様、第５態様、第６態様において、前記第２計測機器は、２４時間動作する設定がなされている特定機器を除く。
情報端末の制御方法の第２２態様は、第２１態様において、前記特定機器は、冷凍機を含む。
【産業上の利用可能性】
【０１３６】
本発明は、情報端末の表示制御に利用することができる。
【符号の説明】
【０１３７】
１  空調機器
２  照明機器
３  冷設機器
１０  エネルギーマネジメントシステム
１１  空調機器
１１ａ  センサ
１２  照明機器
１２ａ  センサ
１３  冷設機器
１３ａ  センサ
２０  電力計
２５  センサ
３０  統合コントローラ
４０  サーバ
５０  情報端末
５１  演算処理部
５２  メモリ
５３  表示部
５４  入力部
５５  通信部
８０  機器
８０ａ  センサ
８５  センサ
１００  第１表示画面
１１０  第１グラフ
２００  第２表示画面
２１０，２２０ａ，２２０ｂ，２２０ｃ  第２グラフ
３００  第３表示画面
３１０，３１５  第１グラフ
【図１】
2017126328.tif 000003
【図２】
2017126328.tif 000004
【図３】
2017126328.tif 000005
【図４】
2017126328.tif 000006
【図５】
2017126328.tif 000007
【図６】
2017126328.tif 000008
【図７】
2017126328.tif 000009
【図８】
2017126328.tif 000010
【図９】
2017126328.tif 000011
【図１０】
2017126328.tif 000012
【図１１】
2017126328.tif 000013
【図１２】
2017126328.tif 000014
【図１３】
2017126328.tif 000015